Podtech/llm-jp-corpus-v4-ja_patent huggingface dataset:
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
デオキシコール酸(DCA)またはその薬学的に許容される塩および少なくとも1つの薬学的に許容される賦形剤を含む、蓄積脂肪の処置に使用するための組成物であって、該蓄積脂肪が、顎の脂肪に起因するかまたはその原因となる、前記組成物。
【請求項２】
デオキシコール酸(DCA)またはその薬学的に許容される塩および少なくとも1つの薬学的に許容される賦形剤を含む、蓄積脂肪の低減に使用するための組成物であって、該蓄積脂肪が、顎の脂肪に起因するかまたはその原因となる、前記組成物。
【請求項３】
前記組成物が、約0.4％w/vから約2％w/v未満のデオキシコール酸の塩から本質的になる、沈殿に安定な水性組成物であり、かつpH約8.1から約8.5で維持される、請求項1または2記載の使用のための組成物。
【請求項４】
前記DCAが約0.5％w/vから約1％w/vの量で存在する、請求項1または2記載の使用のための組成物。
【請求項５】
前記DCAが約0.5％w/vの量または約1％w/vの量で存在する、請求項1または2記載の使用のための組成物。
【請求項６】
前記賦形剤が、溶媒、緩衝液、保存剤、凍結乾燥補助剤、またはそれらの任意の組み合わせである、請求項1または2記載の使用のための組成物。
【請求項７】
前記賦形剤が溶媒または保存剤である、請求項1または2記載の使用のための組成物。
【請求項８】
前記賦形剤が0.9％ベンジルアルコールである、請求項1または2記載の使用のための組成物。
【請求項９】
前記組成物がpH約8.3を有する、請求項1〜8のいずれか一項記載の使用のための組成物。
【請求項１０】
前記塩がアルカリ金属塩である、請求項1〜9のいずれか一項記載の使用のための組成物。
【請求項１１】
前記アルカリ金属塩がナトリウムである、請求項10記載の使用のための組成物。
【請求項１２】
前記組成物が、
pH約8.3に緩衝化された滅菌水溶液；
約0.5％w/vのデオキシコール酸ナトリウム；
約0.9％w/vベンジルアルコール；および
約1％w/vの塩化ナトリウム
から本質的になる、沈殿に安定な水性組成物である、請求項1または2記載の使用のための組成物。
【請求項１３】
前記組成物が、
pH約8.3に緩衝化された水溶液；
約1％w/vのデオキシコール酸ナトリウム；
約0.9％w/vベンジルアルコール；および
約1％w/vの塩化ナトリウム
から本質的になる、沈殿に安定な水性組成物である、請求項1または2記載の使用のための組成物。
【請求項１４】
前記組成物が注射によって投与される、請求項1〜13のいずれか一項記載の使用のための組成物。
【請求項１５】
前記組成物が複数回の注射によって投与される、請求項1〜13のいずれか一項記載の使用のための組成物。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
それを必要とする対象におけるブドウ膜炎の処置で使用するための組成物であって、ＩＬ−６受容体に特異的に結合する抗体の有効量を含み、該対象はマイアミ９段階スケールで２以上の硝子体曇り価（ＶＨ）レベルを有するか、または該対象は３００μｍを超える中心網膜厚さ（ＣＲＴ）を有する、前記組成物。
【請求項２】
ＩＬ−６受容体に特異的に結合する抗体は、配列番号２の配列の重鎖可変領域および配列番号３の軽鎖可変領域配列を含む、請求項１に記載の組成物。
【請求項３】
抗体は２週ごとに１回の約１５０から約２００ｍｇの用量である、請求項１または２に記載の組成物。
【請求項４】
ブドウ膜炎は、中間部ブドウ膜炎、後部ブドウ膜炎、全ブドウ膜炎、非感染性のブドウ膜炎、全身性ブドウ膜炎、および特発性ブドウ膜炎からなる群から選択される、請求項１〜３のいずれか１項に記載の組成物。
【請求項５】
対象は少なくとも３カ月の間コルチコステロイドで処置されている、請求項１〜４のいずれか１項に記載の組成物。
【請求項６】
コルチコステロイドはプレドニゾンである、請求項５に記載の組成物。
【請求項７】
プレドニゾンは１５から８０ｍｇ／日の用量である、請求項６に記載の組成物。
【請求項８】
対象はメトトレキセートでも処置されていた、請求項５〜７のいずれか１項に記載の組成物。
【請求項９】
対象は、１６週後に、マイアミ９ポイントスケールで少なくとも２段階のＶＨレベルの低減を、または１０ｍｇ／日未満へのコルチコステロイド用量の低減を達成する、請求項１〜８のいずれか１項に記載の組成物。
【請求項１０】
抗体はサリルマブである、請求項１〜９のいずれか１項に記載の組成物。
【請求項１１】
それを必要とする対象における黄斑浮腫の処置で使用するための組成物であって、ＩＬ−６受容体に特異的に結合する抗体の有効量を含む、前記組成物。
【請求項１２】
ＩＬ−６受容体に特異的に結合する抗体は、配列番号２の配列の重鎖可変領域および配列番号３の軽鎖可変領域配列を含む、請求項１１に記載の組成物。
【請求項１３】
抗体は２週ごとに１回の約１５０から約２００ｍｇの用量である、請求項１１または１２に記載の組成物。
【請求項１４】
対象は、眼の炎症、障害のある視覚、障害のある色認識、組織肥厚、および眼の血管の漏出からなる群から選択される黄斑浮腫の少なくとも１つの症状を患っている；または、黄斑浮腫はブドウ膜炎に続発する黄斑浮腫である、請求項１１〜１３のいずれか１項に記載の組成物。
【請求項１５】
対象は少なくとも３カ月の間コルチコステロイドで事前に処置されている、請求項１１〜１４のいずれか１項に記載の組成物。
【請求項１６】
コルチコステロイドはプレドニゾンである、請求項１５に記載の組成物。
【請求項１７】
プレドニゾンは１５から８０ｍｇ／日の用量である、請求項１６に記載の組成物。
【請求項１８】
対象はメトトレキセートでも処置されていた、請求項１１〜１７のいずれか１項に記載の組成物。
【請求項１９】
対象は、１６週後に、マイアミ９ポイントスケールで少なくとも２段階のＶＨレベルの低減を、または１０ｍｇ／日未満へのコルチコステロイド用量の低減を達成する、請求項１１〜１８のいずれか１項に記載の組成物。
【請求項２０】
抗体はサリルマブである、請求項１１〜１９のいずれか１項に記載の組成物。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
軸索もしくは神経線維を含む神経または組織内に局所または局部の麻酔または鎮痛を生じさせるための使用のための、
５−（２−エチル−２，３−ジヒドロ−１Ｈ−インデン−２−イル）−１Ｈ−イミダゾール、５−（２−イソプロピル−２，３−ジヒドロ−１Ｈ−インデン−２−イル）−１Ｈ−イミダゾール、５−（２−エチル−５−メチル−２，３−ジヒドロ−１Ｈ−インデン−２−イル）−１Ｈ−イミダゾール、５−（２−プロピル−２，３−ジヒドロ−１Ｈ−インデン−２−イル）−１Ｈ−イミダゾール、５−（２−ビニル−２，３−ジヒドロ−１Ｈ−インデン−２−イル）−１Ｈ−イミダゾール、５−（２−（プロペ−１−エン−２−イル）−２，３−ジヒドロ−１Ｈ−インデン−２−イル）−１Ｈ−イミダゾール、５−（２−アリル−２，３−ジヒドロ−１Ｈ−インデン−２−イル）−１Ｈ−イミダゾール、５−（２−ブチル−２、３−ジヒドロ−１Ｈ−インデン−２−イル）−１Ｈ−イミダゾール、５−（２，５−ジメチル−２，３−ジヒドロ−１Ｈ−インデン−２−イル）−１Ｈ−イミダゾール、５−（２−エチル−５−フルオロ−２，３−ジヒドロ−１Ｈ−インデン−２−イル）−１Ｈ−イミダゾ−ル、５−（５−クロロ−２−エチル−２，３−ジヒドロ−１Ｈ−インデン−２−イル）−１Ｈ−イミダゾ−ル、２−（１Ｈ−イミダゾール−５−イル）−２−メチル−２，３−ジヒドロ−１Ｈ−インデン−５−アミン、（２−（１Ｈ−イミダゾール−５−イル）−２，３−ジヒドロ−１Ｈ−インデン−２−イル）メタノール、１−（２−（１Ｈ−イミダゾール−５−イル）−２，３−ジヒドロ−１Ｈ−インデン−２−イル）エタノール、２−（２−（１Ｈ−イミダゾール−５−イル）−２，３−ジヒドロ−１Ｈ−インデン−２−イル）プロパン−２−オール、２−（１Ｈ−イミダゾール−５−イル）−２，３−ジヒドロ−１Ｈ−インデン−２−カルボニトリル、５−（５−フルオロ−２−メチル−２，３−ジヒドロ−１Ｈ−インデン−２−イル）−１Ｈ−イミダゾール、５−（５，６−ジクロロ−２−エチル−２，３−ジヒドロ−１Ｈ−インデン−２−イル）−１Ｈ−イミダゾール、５−（５−クロロ−２−エチル−６−フルオロ−２，３−ジヒドロ−１Ｈ−インデン−２−イル）−１Ｈ−イミダゾール、５−（２−エチル−５，６−ジフルオロ−２，３−ジヒドロ−１Ｈ−インデン−２−イル）−１Ｈ−イミダゾール、２−エチル−６−フルオロ−２−（１Ｈ−イミダゾール−５−イル）−２，３−ジヒドロ−１Ｈ−インデン−５−アミン、５−（２−エチル−５−ニトロ−２，３−ジヒドロ−１Ｈ−インデン−２−イル）−１Ｈ−イミダゾール、５−（２−（メトキシメチル）−２，３−ジヒドロ−１Ｈ−インデン−２−イル）−１Ｈ−イミダゾール、５−（５−メチル−２，３−ジヒドロ−１Ｈ−インデン−２−イル）−１Ｈ−イミダゾール、１−（２−（１Ｈ−イミダゾール−５−イル）−２，３−ジヒドロ−１Ｈ−インデン−２−イル）エタノン、５−（２，３−ジヒドロ−１−メチル−１Ｈ−インデン−１−イル）−１Ｈ−イミダゾール、５−（１，２，３，４−テトラヒドロナフタレン−２−イル）−１Ｈ−イミダゾールおよび５−（１，２，３，４−テトラヒドロナフタレン−１−イル）−１Ｈ−イミダゾールからなる群から選択される、化合物またはその医薬的に許容な塩を含む医薬組成物。
【請求項２】
前記の軸索もしくは神経線維を含む神経または組織が対象者の中にある、請求項１に記載の使用のための医薬組成物。
【請求項３】
神経障害性、炎症性、手術後の、外傷誘導性、内臓膨張誘導性、神経変性、癌誘導性または組織変性誘導性の、痛みあるいは知覚不全の治療のための、請求項２に記載の使用のための医薬組成物。
【請求項４】
対象者がアミノエステルおよび／またはアミノアミド局所麻酔薬への抵抗性あるいはアレルギーを有する、請求項２に記載の使用のための医薬組成物。
【請求項５】
対象者が保持された運動機能のあるレベルを必要とする、請求項２に記載の使用のための医薬組成物。
【請求項６】
医薬組成物が歯科処置に優先してまたは陣痛の間に用いられる、請求項２に記載の使用のための医薬組成物。
【請求項７】
目の外傷、眼科手術、目のびらんまたはドライアイ症に関連する痛みの治療のための、請求項２に記載の使用のための医薬組成物。
【請求項８】
開放創、外傷、熱傷、褥瘡または表皮水疱症（ＥＢ）に関連する痛みの治療のための、請求項２に記載の使用のための医薬組成物。
【請求項９】
対象者が手術中の洗浄を受けている、請求項２に記載の使用のための医薬組成物。
【請求項１０】
前記使用が、任意にアミノエステルまたはアミノアミドである第二の麻酔薬を投与することをさらに含み、ここで、アミノエステルはベンゾカイン、クロロプロカイン、コカイン、シクロメチカイン、ジメソカイン／ラロカイン、ピペロカイン、プロポキシカイン、プロカイン（ノボカイン）、プロパラカインおよびテトラカイン（アメソカイン）からなる群から任意に選択され、アミノアミドはアルチカイン、ブピバカイン、シンコカイン（ジブカイン）、エチドカイン、レボブピバカイン、リドカイン（リグノカイン）、メピバカイン、プリロカイン、ロピバカインおよびトリメカインからなる群から任意に選択される、請求項２に記載の使用のための医薬組成物物。
【請求項１１】
前記使用が、アルファ２−補助剤ではない補助剤を投与することをさらに含む、請求項２に記載の使用のための医薬組成物。
【請求項１２】
化合物が
【化２】
2018532807.tif 000001
である、請求項２または１１に記載の使用のための医薬組成物。
【請求項１３】
補助剤がエピネフリン、エピネフリン、麻薬、ブプレノフィン、筋弛緩剤、非ステロイド性抗炎症剤、ヒアルロニダ−ゼ、重炭酸塩およびデキサメタゾンから選択される、請求項１１に記載の使用のための医薬組成物。
【請求項１４】
対象者が傷ついた感覚ニューロンを含む、軸索もしくは神経線維を含有する組織内の局所麻酔または鎮痛を必要とする、請求項２に記載の使用のための医薬組成物。
【請求項１５】
医薬が注射による投与あるいは目の局所投与を含む局所投与用に製剤化される、請求項２に記載の使用のための医薬組成物。
【誤訳訂正書】
【提出日】令和1年5月24日(2019.5.24)
【誤訳訂正１】
【訂正対象書類名】明細書
【訂正対象項目名】００２５
【訂正方法】変更
【訂正の内容】
【００２５】
ＰＥＤの別の利点は、酸化アルミニウムの前記層に加えて、酸化チタン層（ＴｉＯ２）などの他の金属酸化物層を作製できることにある。適当な方法は、ＵＳ７，５７８，９２１，Ｂ２により公知である。
本発明の方法において、被加工物が主に陽極として接続される場合に、チタン元素の水溶性化合物、好ましくはフッ素配位錯体から選択される水溶性化合物を含む酸性水性電解質からＰＥＤにより得ることのできる耐摩耗性コーティングを用いることが好ましい。電解質の実際の分解電圧を超えてＰＥＤ法が実施される全期間にわたり、被加工物が主に陽極電荷量を受ける場合、被加工物は主に陽極として接続される。この方法において作製されたコーティングは、実質的にチタン元素の酸化物／水酸化物からなり、特に耐摩耗性であることが判明している。
【誤訳訂正２】
【訂正対象書類名】特許請求の範囲
【訂正対象項目名】全文
【訂正方法】変更
【訂正の内容】
【特許請求の範囲】
【請求項１】
アルミニウムまたはアルミニウム合金製の被加工物（１）の耐摩耗性表面を製造する方法であって、ホーニングまたは精密ボーリングにより表面を下加工または活性化する工程、およびプラズマ電解析出（ＰＥＤ）を用いて耐摩耗性コーティング（９）を塗工する工程を含み、前記耐摩耗性コーティング（９）が酸化アルミニウム以外の金属酸化物層である、方法。
【請求項２】
耐摩耗性コーティング（９）が酸化チタン層である、請求項１に記載の方法。
【請求項３】
耐摩耗性コーティング（９）を塗工した後、コーティング（９）の多孔性を維持したまま前記表面を平滑化することを特徴とする、請求項１または２に記載の方法。
【請求項４】
コーティング（９）の表面がホーニングにより平滑化されることを特徴とする、請求項３に記載の方法。
【請求項５】
シリンダーボア（１）の直径に基づき１０μｍ未満の厚みで表面が平滑化中に除去されることを特徴とする、請求項３または４に記載の方法。
【請求項６】
コーティング（９）が活性化され塗工される間に、表面にアルカリ脱脂を施すことを特徴とする、請求項１〜５のいずれかに記載の方法。
【請求項７】
円筒状表面を下加工中に製造することを特徴とする、請求項１〜６のいずれかに記載の方法。
【請求項８】
亜共晶アルミニウム合金製の被加工物（１）を被覆するために前記方法が用いられることを特徴とする、請求項１〜７のいずれかに記載の方法。
【請求項９】
内燃エンジンのシリンダーボア（１）を製造するために前記方法が用いられることを特徴とする、請求項１〜８のいずれかに記載の方法。
【誤訳訂正書】
【提出日】平成31年1月31日(2019.1.31)
【誤訳訂正１】
【訂正対象書類名】特許請求の範囲
【訂正対象項目名】全文
【訂正方法】変更
【訂正の内容】
【特許請求の範囲】
【請求項１】
微生物制御を用いて糖含有植物材料から糖を生成する方法であって、糖含有植物原材料、又は前記植物原材料を含有する媒体を、調製済みのモノクロラミンを用いて処理することを含み、前記糖含有植物原材料が糖含有植物材料、及び／又は糖含有果物材料、及び／又は糖含有樹木の樹液若しくは糖汁、又は他の糖含有植物材料であって、別々であり又はそれらの任意の組合せであり、及び前記モノクロラミンが、上記方法が行われる系において糖含有植物原材料1トン当たり1 g〜1000 gのモノクロラミンの注入量にて注入され、ここで前記処理が前記モノクロラミンを前記糖含有植物原材料又は前記媒体に前記注入量にて添加することを含む、方法。
【請求項２】
前記糖含有植物材料がビート、サトウキビ、トウモロコシ及び／又はソルガムであり、及び前記糖含有果物材料がネクタリン、パイナップル、マンゴー、ジャックフルーツ、モモ、カンタロープ、アプリコット、バナナ、ブドウ、リンゴ、西洋ナシ、サクランボ及び／又はオレンジであり、及び前記糖含有樹木の樹液若しくは糖汁がカエデ樹液若しくは糖汁、シュガーパーム樹液若しくは糖汁及び／又はココナッツ糖である、請求項1に記載の方法。
【請求項３】
前記モノクロラミンが水性希釈形態において添加される、請求項1に記載の方法。
【請求項４】
前記モノクロラミンが100 ppm〜15000 ppmの濃度の水性希釈形態において添加される、請求項1に記載の方法。
【請求項５】
前記モノクロラミンを水性形態において前記糖含有植物原材料に噴霧する、請求項1に記載の方法。
【請求項６】
前記モノクロラミンが、水性形態において前記糖含有植物原材料又は前記植物原材料を含有する媒体と接触する又は接触させる加工水に添加される、請求項1に記載の方法。
【請求項７】
微生物制御を用いた糖生成におけるビート糖を加工する方法であって、ビート糖の原材料又は前記ビート糖の原材料を含有する媒体を、調製済みのモノクロラミンを用いて処理することを含み、前記モノクロラミンが、前記方法が行われる系においてビート糖の乾燥原材料1トン当たり1 g〜1000 gのモノクロラミンの注入量にて注入され、ここで前記処理が前記モノクロラミンを前記ビート糖の原材料又は前記媒体に前記注入量にて添加することを含む、方法。
【請求項８】
前記モノクロラミンが水性希釈形態において添加される、請求項7に記載の方法。
【請求項９】
前記モノクロラミンが100 ppm〜15000 ppmの濃度の水性希釈形態において添加される、請求項7に記載の方法。
【請求項１０】
前記モノクロラミンを用いて微生物を制御することを含み、前記微生物がリューコノストック・メゼンテロイデス、ラクトバシラス、又はそれらの任意の組合せから選択される、請求項7に記載の方法。
【請求項１１】
原料のビートを洗浄する工程と、前記洗浄したビートを薄切りにする工程と、前記薄切りにしたビートから糖含有植物部を原料の糖汁として熱により抽出する工程と、前記原料の糖汁を精製し、濃度の低い糖汁を生成する工程と、前記濃度の低い糖汁を蒸発させ、濃度の高い糖汁を生成する工程と、前記濃度の高い糖汁を煮沸し、結晶−糖蜜混合物を形成させる工程と、遠心分離し、糖結晶を糖蜜から分離させる工程と、前記糖結晶を乾燥させる工程とを含み、前記モノクロラミンが前記工程の少なくとも1つにおいて導入される、請求項7に記載の方法。
【請求項１２】
前記モノクロラミンが前記工程の2つ以上において導入される、請求項11に記載の方法。
【請求項１３】
モノクロラミン処理が薄切りにする前のビートに、拡散器の果肉圧搾水に、拡散の最終水に、薄切りにされたビートの熱交換器にて、精製段階である浄化段階にて、糖集塵機にて、副生成物である糖液中に、蒸留かすである蒸留廃液に、又はそれらの任意の組合せにおいて行われる、請求項7に記載の方法。
【請求項１４】
前記モノクロラミンが、前記方法がアンモニア又はアンモニウム塩と次亜塩素酸ナトリウムとを反応させることにより行われる現場にて調製される、請求項7に記載の方法。
【誤訳訂正書】
【提出日】令和1年9月2日(2019.9.2)
【誤訳訂正１】
【訂正対象書類名】特許請求の範囲
【訂正対象項目名】全文
【訂正方法】変更
【訂正の内容】
【特許請求の範囲】
【請求項１】
-  組成物の総質量に対して、1.0質量%〜50.0質量%の範囲の割合で存在している、1種又は複数の硫黄系還元剤、
-  1種又は複数のリン系界面活性剤、
-  リン系界面活性剤以外の、1種又は複数の非イオン性界面活性剤、及び
-  組成物の総質量に対して、少なくとも5.0質量%の非液状脂肪物質
を含む、ケラチン繊維を染色しないための、組成物であって、
前記非液状脂肪物質は、固体化合物、又は25℃の温度及び1s-1のせん断速度において、2Pa.s超の粘度を有する化合物であり、
前記非イオン性界面活性剤が、前記非液状脂肪物質とは異なり、
1種又は複数の液状脂肪物質を含むことを特徴とする、
組成物。
【請求項２】
硫黄系還元剤が、チオール系還元剤及び非チオール系還元剤から選択されることを特徴とする、請求項1に記載の組成物。
【請求項３】
硫黄系還元剤が、チオグリコール酸、チオ乳酸、システイン、システアミン、ホモシステイン、グルタチオン、チオグリセロール、チオリンゴ酸、2-メルカプトプロピオン酸、3-メルカプトプロピオン酸、チオジグリコール、2-メルカプトエタノール、ジチオトレイトール、チオキサンチン、チオサリチル酸、チオプロピオン酸、リポ酸及びN-アセチルシステイン、並びにそれらの塩から選択されることを特徴とする、請求項1又は2に記載の組成物。
【請求項４】
硫黄系還元剤が、組成物の総質量に対して、1.0質量%〜20.0質量%の範囲の割合で存在していることを特徴とする、請求項1から3のいずれか一項に記載の組成物。
【請求項５】
リン系界面活性剤が、以下の式:
【化１】
2016540782.tif 000001
[式中、
同一又は異なっていてもよい、R1、R2及びR3は、
-  -OM基(Mは、水素原子、又はNa、Li若しくはK等のアルカリ金属を表す)、
-  -OR4基(R4は、直鎖状若しくは分岐状C1〜C40アルキル基、直鎖状若しくは分岐状C2〜C40アルケニル基、C3〜C40環式アルキル基、C3〜C40環式アルケニル基、C5〜C40芳香族基又はC6〜C40アラルキル基を表す)、及び
-  オキシアルキレン基である-(OCH2CH2)n(OCH2CH(CH3))mOR4(R4は、先に定義されている通りであり、nは、1〜50の範囲の整数を表し、mは、0〜50の範囲の整数を表す)
から選択される基を表し、
但し、R1、R2及びR3の中から少なくとも1つが-OM基であり、R1、R2及びR3の中から少なくとも1つが、-OR4基又は-(OCH2CH2)n(OCH2CH(CH3))mOR4である]
を有することを特徴とする、請求項1から4のいずれか一項に記載の組成物。
【請求項６】
リン系界面活性剤が、12〜20個の炭素原子を含有し、エチレンオキシド及びプロピレンオキシドから選択されるアルキレンオキシドを1〜50mol有する、アルコキシ化脂肪アルコールホスフェート、及び12〜22個の炭素原子を含有する非アルコキシ化アルコールジアルキルホスフェート、並びにそれらの混合物から選択される、請求項1から5のいずれか一項に記載の組成物。
【請求項７】
リン系界面活性剤が、組成物の総質量に対して、0.01質量%〜20.0質量%の割合で存在していることを特徴とする、請求項1から6のいずれか一項に記載の組成物。
【請求項８】
非液状脂肪物質が、非液状である、脂肪アルコール、脂肪酸及び/又は脂肪アルコールエステル、非シリコーンワックス、脂肪アミン、脂肪エーテル及びシリコーン、並びにそれらの混合物から選択されることを特徴とする、請求項1から7のいずれか一項に記載の組成物。
【請求項９】
1種又は複数の非液状脂肪物質を、組成物の総質量に対して、5.0質量%〜60質量%の範囲の含有量で含むことを特徴とする、請求項1から8のいずれか一項に記載の組成物。
【請求項１０】
液状脂肪物質が、炭化水素から選択される、請求項9に記載の組成物。
【請求項１１】
硫黄系還元剤の量／リン系界面活性剤の量の間の質量比が、0.5以上であることを特徴とする、請求項1から10のいずれか一項に記載の組成物。
【請求項１２】
リン系界面活性剤以外の非イオン性界面活性剤が、
・1〜100molのエチレンオキシド及び/又はプロピレンオキシドを含む、オキシエチレン化及び/又はオキシプロピレン化C8〜C30アルコール、
・1〜100molのエチレンオキシドを含む、飽和又は不飽和オキシエチレン化植物油、
・オキシアルキレン化(0〜10のOE)されている、または、オキシアルキレン化(0〜10のOE)されておらず、1〜15個のグルコース単位を含む、(C8〜C30)アルキル(ポリ)グリコシド、
・1〜30molのグリセロールを含む、モノグリセロレート化又はポリグリセロレート化C8〜C40アルコール、
・飽和又は不飽和の、直鎖状又は分岐状のオキシアルキレン化C8〜C30脂肪酸アミド、
それらの混合物から選択されることを特徴とする、請求項1から11のいずれか一項に記載の組成物。
【請求項１３】
リン系界面活性剤以外の非イオン性界面活性剤が、組成物の総質量に対して、0.01質量%〜30.0質量%の範囲の割合で存在していることを特徴とする、請求項1から12のいずれか一項に記載の組成物。
【請求項１４】
少なくとも1種の陽イオン性ポリマーを含むことを特徴とする、請求項1から13のいずれか一項に記載の組成物。
【請求項１５】
ケラチン繊維を恒久的に再整形する方法であって、以下の工程:
(i)請求項1から14のいずれか一項に記載の組成物を、前記繊維に施用し、整形するのに十分な時間、繊維に残留させる工程、及び
(ii)酸化性組成物を、形状を定着させるのに十分な時間、前記繊維に施用する、または、施用しない工程、
を行うことにある、方法。
【請求項１６】
毛髪を恒久的に再整形させるための、請求項1から14のいずれか一項に記載の組成物の使用。
【請求項１７】
除毛するための、請求項1から14のいずれか一項に記載の組成物の使用。
【誤訳訂正２】
【訂正対象書類名】明細書
【訂正対象項目名】０２３６
【訂正方法】変更
【訂正の内容】
【０２３６】
【表１】
2016540782.tif 000002
【誤訳訂正書】
【提出日】平成31年2月13日(2019.2.13)
【誤訳訂正１】
【訂正対象書類名】明細書
【訂正対象項目名】０１９３
【訂正方法】変更
【訂正の内容】
【０１９３】
結果／知見
上記の比較例と同程度の量の鉄による色付け及びビスマスドーピングを有するジルコニア材料は、鉄濃度が、Ｖｉｔａ（商標）ＣｌａｓｓｉｃａｌスケールでＡ１又はそれよりも高い（例えばＡ３、Ｂ３）歯の色をもたらすようなレベルだと、歯科用途に十分な蛍光性を示さなかった。これと比較して、テルビウムによる色付け及びビスマスドーピングでは、高い蛍光度を維持しながらより暗い色（例えばＶｉｔａ（商標）ＣｌａｓｓｉｃａｌスケールでＢ３の歯の色）を生じることができた。
【誤訳訂正２】
【訂正対象書類名】特許請求の範囲
【訂正対象項目名】全文
【訂正方法】変更
【訂正の内容】
【特許請求の範囲】
【請求項１】
多孔質ジルコニア材料を含み、機械加工装置に取り付けるか又は固定することを可能と
する形状を有する歯科用ミルブランクであって、
重量％を前記多孔質ジルコニア材料の重量に対するものとして、前記多孔質ジルコニア
材料が、以下の酸化物、すなわち、
○ＺｒＯ２として計算される酸化ジルコニウムを、８０〜９７重量％、
○Ａｌ２Ｏ３として計算される酸化アルミニウムを、０〜０．１５重量％、
○Ｙ２Ｏ３として計算される酸化イットリウムを、１〜１０重量％、
○Ｂｉ２Ｏ３として計算される酸化ビスマスを、０．０１〜０．２０重量％、
○Ｔｂ２Ｏ３として計算される酸化テルビウムを、０．０１〜０．８重量％、
及び場合により以下の酸化物の１つ又は２つ、すなわち、
○Ｅｒ２Ｏ３として計算される酸化エルビウムを、０．０１〜３．０重量％、
○ＭｎＯ２として計算される酸化マンガンを、０．０００１〜０．０８重量％、含
み、
前記多孔質ジルコニア材料が、Ｆｅ２Ｏ３として計算される酸化鉄を、０．０１重量
％を上回る量で含まない、歯科用ミルブランク。
【請求項２】
前記多孔質ジルコニア材料が、以下のパラメータ、すなわち、
○ヒステリシスループを有する窒素の吸着及び脱着等温線を示すこと、
○ＩＵＰＡＣ分類にしたがうＨ１型のヒステリシスループを示すこと、
○０．７０〜０．９５のｐ／ｐ０の範囲でヒステリシスループを有するＮ２吸着及び脱
着等温線を示すこと、
○平均連結孔径：１０〜１００ｎｍ、
○平均粒度：１００ｎｍ未満、
○ＢＥＴ表面：１０〜２００ｍ２／ｇ、
○２軸曲げ強度：１０〜４０ＭＰａ、
○ｘ、ｙ、ｚ寸法：少なくとも５ｍｍ、
○ビッカース硬度：２５〜１５０、
○密度：理論密度の３０％〜９５％、
○収縮挙動：等方性、の少なくとも１つ又はすべてによって特徴付けられる、請求項１
に記載の歯科用ミルブランク。
【請求項３】
ディスク又はブロックの形状を有する、請求項１又は２に記載の歯科用ミルブランク。
【請求項４】
重量％を前記多孔質ジルコニア材料の重量に対するものとして、以下の成分、すなわち
、
○０．００５重量％を上回る量の、Ｆｅ２Ｏ３として計算される酸化鉄、
○０．０１重量％を上回る量の、Ｃｒ２Ｏ３として計算される酸化クロム、
○０．０１重量％を上回る量の、ＣｕＯとして計算される酸化銅、
○０．０１重量％を上回る量の、Ｖ２Ｏ５として計算される酸化バナジウム、
○０．０１重量％を上回る量の、Ｍｏ２Ｏ３として計算される酸化モリブデン、
○０．０１重量％を上回る量の、Ｐｒ２Ｏ３として計算される酸化プラセオジム、の
少なくとも１つ又はすべてを含まない、請求項１〜３のいずれか一項に記載の歯科用ミル
ブランク。
【請求項５】
以下の成分、すなわち、
○ガラス、
○ガラスセラミック、
○二ケイ酸リチウムセラミック、
又は、これらの組み合わせ若しくは混合物、の少なくとも１つ又はすべてを含まない、
請求項１〜４のいずれか一項に記載の歯科用ミルブランク。
【請求項６】
機械加工装置に前記歯科用ミルブランクを可逆的に取り付けるための手段又は保持装置
を含み、前記手段が、１乃至複数の溝、１乃至複数の切欠き部、１乃至複数の陥凹部、１
乃至複数の打ち抜き部、１乃至複数のフレーム、１乃至複数の残根部及びこれらの組み合
わせから選択される、請求項１〜５のいずれか一項に記載の歯科用ミルブランク。
【請求項７】
ブロック又はディスクの形状を有する前記歯科用ミルブランクであって、多孔質ジルコ
ニア材料と、前記歯科用ミルブランクを機械加工装置に取り付けるための手段とを含み、
重量％を前記多孔質ジルコニア材料の重量に対するものとして、前記多孔質ジルコニア
材料が、
●ＺｒＯ２として計算される酸化ジルコニウムを、８０〜９７重量％、
●Ａｌ２Ｏ３として計算される酸化アルミニウムを、０〜０．１５重量％、
●Ｙ２Ｏ３として計算される酸化イットリウムを、１〜１０重量％、
●Ｂｉ２Ｏ３として計算される酸化ビスマスを、０．０１〜０．２０重量％、
●Ｔｂ２Ｏ３として計算される酸化テルビウムを、０．０１〜０．８重量％、
及び場合により以下の酸化物の１つ又は２つ、すなわち、
●Ｅｒ２Ｏ３として計算される酸化エルビウムを、０．０１〜３．０重量％、
●ＭｎＯ２として計算される酸化マンガンを、０．０００１〜０．０１重量％、を
含み、
前記多孔質ジルコニア材料が、
−ガラス、ガラスセラミック、又は二ケイ酸リチウム材料、及び
−０．０１重量％を上回る量の、Ｆｅ２Ｏ３として計算される酸化鉄、を含まず、
前記多孔質ジルコニア材料が、以下のパラメータ、すなわち、
●０．７０〜０．９５のｐ／ｐ０の範囲で、ＩＵＰＣＡ分類にしたがうＨ１型ヒステリ
シスループを有するＮ２吸着及び脱着等温線を示すこと、
●ＢＥＴ表面：１０〜２００ｍ２／ｇ、
●２軸曲げ強度：１０〜４０ＭＰａ、
●ｘ、ｙ、ｚ寸法：少なくとも５ｍｍ、
●密度：理論密度の３０％〜９５％、
●収縮挙動：等方性、によって特徴付けられる、請求項１〜６のいずれか一項に記載の
歯科用ミルブランク。
【請求項８】
請求項１〜７のいずれか一項に記載の歯科用ミルブランクの製造方法であって、
○それぞれの酸化物の粉末を混合して粉末混合物を得る工程と、
○前記粉末混合物をプレスする工程と、を含む製造方法。
【請求項９】
請求項１〜７のいずれか一項に記載の歯科用ミルブランクの製造方法であって、ジ
ルコニアエアロゲルを熱処理又は焼成する工程を含む、製造方法。
【請求項１０】
歯科用物品の製造方法であって、
○請求項１〜６のいずれか一項に記載の多孔質ジルコニア材料を含む歯科用ミルブラン
クを提供する工程と、
○前記歯科用ミルブランクを機械加工装置に配置する工程と、
○前記多孔質ジルコニア材料を機械加工する工程と、を含む製造方法。
【請求項１１】
前記機械加工する工程が、ミリング加工、ドリル加工、切断、カービング、又は研削の
装置によって行われる、請求項１０に記載の製造方法。
【請求項１２】
前記機械加工された多孔質ジルコニア材料を焼結する更なる工程を含む、請求項１０又
は１１に記載の製造方法。
【誤訳訂正書】
【提出日】平成30年12月28日(2018.12.28)
【誤訳訂正１】
【訂正対象書類名】特許請求の範囲
【訂正対象項目名】全文
【訂正方法】変更
【訂正の内容】
【特許請求の範囲】
【請求項１】
複数の相互に絡まった繊維要素を含む多孔質の水溶性繊維壁材を含むパウチであって、少なくとも１つの前記繊維要素がフィラメント形成ポリマーと前記繊維要素内に存在する１以上の活性剤を含み、前記パウチは前記パウチの内容積を規定しており、前記パウチは前記パウチの内容積内に活性剤を更に含み、前記活性剤は粉末の形態であり、前記活性剤は界面活性剤、漂白剤、酵素、抑泡剤、泡増量剤、布地用柔軟剤、義歯洗浄剤、毛髪洗浄剤、ヘアケア剤、パーソナルヘルスケア剤、色相剤、及びこれらの混合物からなる群から選択され、前記パウチが本出願の明細書の破壊試験法に記載された手順に従って測定した場合に、２４０秒未満の平均破壊時間を呈し、前記パウチが本出願の明細書の振盪試験方法に記載された手順に従って測定した場合に、１０％未満の％重量喪失を呈する、パウチ。
【請求項２】
少なくとも1つの前記繊維要素がフィラメントを含む請求項１に記載のパウチ。
【請求項３】
前記フィラメント形成ポリマーがヒドロキシルポリマーを含む、請求項１又は２に記載のパウチ。
【請求項４】
前記ヒドロキシルポリマーが、プルラン、ヒドロキシプロピルメチルセルロース、ヒドロキシエチルセルロース、ヒドロキシプロピルセルロース、カルボキシメチルセルロース、アルキン酸ナトリウム、キサンタンガム、トラガカントガム、グアーガム、アカシアガム、アラビアガム、ポリアクリル酸、デキストリン、ペクチン、キチン、コラーゲン、ゼラチン、ゼイン、グルテン、大豆タンパク質、カゼイン、ポリビニルアルコール、デンプン、デンプン誘導体、ヘミセルロース、ヘミセルロース誘導体、タンパク質、キトサン、キトサン誘導体、ポリエチレングリコール、テトラメチレンエーテルグリコール、ヒドロキシメチルセルロース、及びこれらの混合物からなる群から選択される、請求項３に記載のパウチ。
【請求項５】
前記パウチが使用されるときに曝される温度条件、物理的条件、化学的条件及び／又は機械的条件下で、存在する活性剤の少なくとも1つが、少なくとも1つの繊維要素から放出可能である、請求項１〜４のいずれか一項に記載のパウチ。
【請求項６】
前記少なくとも１つの活性剤が、界面活性剤、漂白剤、酵素、抑泡剤、泡増量剤、布地用柔軟剤、色相剤、発泡剤、及びこれらの混合物からなる群から選択される、請求項１〜５のいずれか一項に記載のパウチ。
【請求項７】
前記パウチが使用されるときに曝される温度条件、物理的条件、化学的条件及び／又は機械的条件下で、パウチが１つ以上の前記活性剤を放出する、請求項１に記載のパウチ。
【請求項８】
前記パウチが、本出願の明細書の含水量試験方法に記載された手順に従って測定されたときに、０％〜２０％の含水量を呈する、請求項１〜７のいずれか一項に記載のパウチ。
【請求項９】
前記水溶性繊維壁材が、開口の水溶性繊維壁材である、請求項１〜８のいずれか一項に記載のパウチ。
【請求項１０】
前記パウチが、フィルム壁材を更に含む、請求項１〜９のいずれか一項に記載のパウチ。
【請求項１１】
前記フィルム壁材がヒドロキシルポリマーを含む、請求項１０に記載のパウチ。
【請求項１２】
前記パウチが前記パウチ中に存在する別個のインナーパウチを更に含む、請求項１〜１１のいずれか一項に記載のパウチ。
【請求項１３】
前記インナーパウチが２番目の内容積を規定するパウチ壁材を含む、請求項１２に記載のパウチ。
【請求項１４】
前記インナーパウチのパウチ壁材が繊維壁材及び／又はフィルム壁材を含む、請求項１２又は１３に記載のパウチ。
【請求項１５】
前記フィルム壁材が開口のフィルム壁材である、請求項１４に記載のパウチ。
【請求項１６】
前記別個のインナーパウチが活性剤を含む、請求項１２に記載のパウチ。
【請求項１７】
前記インナーパウチが、本出願の明細書の破壊試験方法に記載された手順に従って測定した場合に、前記パウチの平均破壊時間以上の平均破壊時間を呈する、請求項１２又は１３に記載のパウチ。
【誤訳訂正２】
【訂正対象書類名】明細書
【訂正対象項目名】００９８
【訂正方法】変更
【訂正の内容】
【００９８】
一実施例では、繊維壁材（例えば、水溶性繊維壁材）を含む本発明のパウチは、本明細書に記載の破壊試験方法に従って測定されたとき、２４０秒未満、及び／又は１２０秒未満、及び／又は６０秒未満、及び／又は３０秒未満、及び／又は１０秒未満、及び／又は５秒未満、及び／又は２秒未満、及び／又は即座の平均破壊時間を呈する。
【誤訳訂正書】
【提出日】平成31年2月20日(2019.2.20)
【誤訳訂正１】
【訂正対象書類名】明細書
【訂正対象項目名】０００２
【訂正方法】変更
【訂正の内容】
【０００２】
本発明は、チロシンキナーゼシグナル伝達を調節、制御及び／または阻害することができる新規化合物に関する。本発明はまた、細胞増殖性障害、代謝性障害、及び血管増殖性障害を含む、異常チロシンキナーゼシグナル伝達に関連する障害の予防及び／または治療のために、受容体クラスまたは非受容体クラスであるかにかかわらず、チロシンキナーゼを制御、調節または阻害する方法を対象とする。
【誤訳訂正２】
【訂正対象書類名】明細書
【訂正対象項目名】００１４
【訂正方法】変更
【訂正の内容】
【００１４】
本発明は、ＶＥＧＦ及び／またはＰＤＧＦ受容体をブロックすることにより、チロシンキナーゼシグナル伝達を調節、制御及び／または阻害することができる有機分子に関する。このような化合物は、糖尿病性網膜症、加齢黄斑変性及び未熟児網膜症などの血管増殖性障害を含む、異常チロシンキナーゼシグナル伝達に関連する疾患の治療に対して有用である。
【誤訳訂正３】
【訂正対象書類名】明細書
【訂正対象項目名】００２１
【訂正方法】変更
【訂正の内容】
【００２１】
式Ｉの化合物は、キナーゼ阻害剤として有用である。従って、式Ｉの化合物は、異常チロシンキナーゼシグナル伝達に関連する疾患、例えば、癌、血管増殖性障害、線維性障害、及び神経変性疾患を治療するのに有用であろう。特に、本発明の化合物は、メサンギウム細胞増殖性障害及び代謝性疾患、翼状片、関節炎、再狭窄、肝硬変、アテローム性動脈硬化症、乾癬、酒さ、糖尿病、創傷治癒、並びに神経変性疾患、好ましくは眼疾患、すなわち、糖尿病性網膜症、加齢黄斑変性、未熟児網膜症などの治療に対して有用である。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
中枢性メモリーＴリンパ球（Ｔｃｍ）表現型を有する単離細胞であって、前記細胞は寛容誘導性細胞であり、かつ移植後にリンパ節へ帰巣することができ、Ｔ細胞受容体シグナル伝達モジュールを含む細胞表面受容体を発現するように変換されている、細胞。
【請求項２】
中枢性メモリーＴリンパ球（Ｔｃｍ）表現型を有する単離細胞であって、前記細胞は寛容誘導性細胞であり、かつ移植後にリンパ節へ帰巣することができ、キメラ抗原受容体（ＣＡＲ）を発現するように変換されている、細胞。
【請求項３】
中枢性メモリーＴリンパ球（Ｔｃｍ）表現型を有する単離細胞であって、前記細胞は寛容誘導性細胞であり、かつ移植後にリンパ節へ帰巣することができ、キメラ抗原受容体（ＣＡＲ）を発現するように変換されており、前記ＣＡＲが１つの共刺激ドメインを含んでいるか、または少なくとも２つの共刺激ドメインを含んでいる、細胞。
【請求項４】
請求項１〜３のいずれか１項に記載の単離細胞を生じさせる方法であって、Ｔ細胞受容体シグナル伝達モジュールまたはキメラ抗原受容体（ＣＡＲ）を含む細胞表面受容体をコードしているポリヌクレオチドで、中枢性メモリーＴリンパ球（Ｔｃｍ）表現型を有する細胞を変換することを含み、前記細胞が寛容誘導性細胞であり、かつ移植後にリンパ節へ帰巣することができるものである、方法。
【請求項５】
前記方法が生体外で成し遂げられるか、または前記細胞が前記ポリヌクレオチドを含むベクターで変換される、請求項４に記載の方法。
【請求項６】
前記ポリヌクレオチドが遺伝子組換えＴ細胞受容体（ｔｇ−ＴＣＲ）またはキメラ抗原受容体（ＣＡＲ）をコードしている、請求項４または５に記載の方法。
【請求項７】
前記細胞表面受容体が、遺伝子組換えＴ細胞受容体（ｔｇ−ＴＣＲ）またはキメラ抗原受容体（ＣＡＲ）を含む、請求項４に記載の単離細胞または請求項５に記載の方法。
【請求項８】
前記ＣＡＲが、抗体または抗原結合断片である抗原結合ドメインを含むか、
ＣＤ３ζを含むか、
ＣＤ２８、ＣＤ１３４／ＯＸ４０、ＣＤ１３７／４−１ＢＢ、Ｌｃｋ、ＩＣＯＳおよびＤＡＰ１０から構成される群から選択される少なくとも１つの共刺激ドメインを含むか、
ＣＤ２８、ＣＤ１３４／ＯＸ４０、ＣＤ１３７／４−１ＢＢ、Ｌｃｋ、ＩＣＯＳおよびＤＡＰ１０から構成される群から選択される少なくとも２つの共刺激ドメインを含む、
請求項２〜３もしくは７のいずれか１項に記載の単離細胞または請求項４もしくは７に記載の方法。
【請求項９】
前記細胞がさらに、前記細胞における少なくとも１つの内因性免疫チェックポイント遺伝子の発現を抑制すべく遺伝子改変されている、請求項１〜３もしくは７〜８のいずれか１項に記載の単離細胞または請求項４〜８のいずれか１項に記載の方法。
【請求項１０】
前記細胞が中枢性メモリーＴリンパ球（Ｔｃｍ）表現型を有するとともに寛容誘導性細胞であり、かつ移植後にリンパ節へ帰巣することができるものであり、前記細胞が、
（ａ）抗原反応性細胞の富化を可能にすべくＩＬ−２１の存在下で末梢血単核細胞（ＰＢＭＣ）を１つ以上の第三者抗原と接触させること；ならびに
（ｂ）前記中枢性メモリーＴリンパ球（Ｔｃｍ）表現型を含む抗第三者細胞の増殖を可能にすべく、ステップ（ａ）の結果として生じる前記細胞をＩＬ−２１、ＩＬ−１５およびＩＬ−７の存在下で培養し、それにより、Ｔｃｍ表現型を有する細胞であって、寛容誘導性細胞であり、かつ移植後にリンパ節へ帰巣することができる、細胞を生じさせること
を含む方法によって生じるものである、請求項４〜８のいずれか１項に記載の方法。
【請求項１１】
請求項１０に記載の方法であって、
（ｃ）ステップ（ｂ）の結果として生じる前記細胞を単一細胞懸濁液中へと分離させることおよび／または
ステップ（ａ）の後であってステップ（ｂ）の前に活性細胞を選抜することをさらに含み、
前記活性細胞を選抜することが、ＣＤ１３７＋および／またはＣＤ２５＋の細胞を選抜することによって成し遂げられてもよい、
方法。
【請求項１２】
前記Ｔｃｍ表現型が、ＣＤ３＋、ＣＤ８＋、ＣＤ６２Ｌ＋、ＣＤ４５ＲＡ−、ＣＤ４５ＲＯ＋の特徴を含み、少なくとも５０％の単離細胞がＣＤ３＋ＣＤ８＋細胞であり、前記ＣＤ３＋ＣＤ８＋細胞のうち少なくとも５０％が前記特徴を有していてもよい、請求項１〜３のいずれか１項に記載の単離細胞または請求項１０に記載の方法。
【請求項１３】
請求項１〜３、７〜９または１２のいずれか１項に記載の単離細胞を含む、細胞集団。
【請求項１４】
請求項１３に記載の細胞集団と、薬学的に活性なキャリアとを含む、医薬組成物。
【請求項１５】
処置を必要とする被験体の疾患を処置するために使用される、治療上有効な量の請求項１３に記載の細胞集団。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
Ａドメインに続いてＴおよびＣドメインをコードするポリペプチドを含む、２つ以上の交換単位（ＥＵ）のアセンブリを含有するＮＲＰＳを生成する方法。
【請求項２】
アセンブリの第１のＥＵが、第１のＡドメインの前に追加のＣドメインを有する、請求項１に記載の方法。
【請求項３】
アセンブリの最後のＥＵが、Ａ、ＴおよびＴＥドメインのいずれかで構成される、請求項１に記載の方法。
【請求項４】
アセンブリの最後のＥＵがＴＥドメインである、請求項１に記載の方法。
【請求項５】
アセンブリの最後のＥＵの前にあるＥＵが、ＡおよびＴドメインで構成される、請求項４に記載の方法。
【請求項６】
ＣドメインがＣｙまたはＣｔｅｒｍドメインに置き換わることができる、請求項１から５に記載の方法。
【請求項７】
修飾ドメインとしてＥ、ＭＴまたはＯｘをＥＵに付加することできる、請求項１から６に記載の方法。
【請求項８】
ＥＵのアセンブリが、細菌、菌類または植物に由来するＥＵドメインで構成される、請求項１から７のいずれかに記載の方法。
【請求項９】
特定の種由来のＣドメインおよび別の種由来の次のＥＵのＡドメインの基質特異性が、同一であるまたは関連していなければならない、請求項８に記載の方法。
【請求項１０】
ＥＵのアセンブリが、これらに限定されないが、ギブソンクローニングまたは酵母ベースＴＡＲ−クローニングのような分子生物学の方法によって達成され得る、請求項１から９に記載の方法。
【請求項１１】
ＥＵドメイン間の境界が、Ｃ−Ａリンカー内のコンセンサス配列Ｔｒｐ−Ａｓｎ−Ａｌａ−Ｔｈｒ−Ｇｌｕによって定義される、請求項１から１０に記載の方法。
【請求項１２】
ＮＲＰＳがＰＫＳ、またはＮＲＰＳ−ＰＫＳ  ＥＵを含有する、請求項１から１１に記載の方法。
【請求項１３】
ＮＲＰＳが２〜１０のＥＵを含有する、請求項１から１２に記載の方法。
【請求項１４】
ＮＲＰＳが１１〜１００のＥＵを含有する、請求項１から１２に記載の方法。
【請求項１５】
細菌が枯草菌（Ｂａｃｉｌｌｕｓ  ｓｕｂｔｉｌｉｓ）、シュードモナス・シリンガエ（Ｐｓｅｕｄｏｍｏｎａｓ  ｓｙｒｉｎｇａｅ）、ストレプトミセス属種（Ｓｔｒｅｐｔｏｍｙｃｅｓ  ｓｐ．）、または大腸菌（Ｅｓｃｈｅｒｉｃｈｉａ  ｃｏｌｉ）であり、前記菌類が酵母細胞である、請求項８に記載の方法。
【請求項１６】
抗菌性、抗真菌性、抗腫瘍薬、または免疫抑制としての活性を有するペプチドの同定および生産のための、請求項１から１４に記載の方法。
【請求項１７】
ＥＵのアセンブリを含有するＮＲＰＳをコードする遺伝子を構成するキットであって、
ａ）Ａ、Ｔ、Ｃを伴うEUドメインまたは
ｂ）Ｅ、ＭＴもしくはＯｘまたは他のＮＲＰＳドメインのような修飾ドメインを含有するＥＵのアセンブリ、または
ｃ）第１のＥＵとしてＣを含有するＥＵのアセンブリ、または
ｄ）最後のＥＵとしてＡ、ＴまたはＴＥを含有するＥＵのアセンブリ、または
ｅ）Ｃの代わりにＣｙまたはＣｔｅｒｍを含有するＥＵのアセンブリ、または
ｄ）異なる種由来のＥＵドメインを含有するＥＵドメインのアセンブリであって、異なる種由来の隣接したＣおよびＡドメインが、同一または類似の基質特異性を有していなければならない、ＥＵドメインのアセンブリ、および
ｅ）ここで、ＥＵドメイン間のポリペプチド境界は、Ｃ−Ａリンカー内の配列Ｔｒｐ−Ａｓｎ−Ａｌａ−Ｔｈｒ−Ｇｌｕをコードしている
を含むキット。
【請求項１８】
請求項１７に記載のキットによって生産されるＮＲＰＳ遺伝子ライブラリーであって、ライブラリー内の各ＮＲＰＳ遺伝子において少なくとも１５のＥＵコード遺伝子バリアントを含む、ＮＲＰＳ遺伝子ライブラリー。
【請求項１９】
請求項１７に記載のキットによって生産されるＮＲＰＳ遺伝子ライブラリーであって、ライブラリー内の各ＮＲＰＳ遺伝子において少なくとも２５のEUコード遺伝子バリアントを含む、ＮＲＰＳ遺伝子ライブラリー。
【請求項２０】
請求項１７に記載のキットによって生産されるＮＲＰＳ遺伝子ライブラリーであって、ライブラリー内の各ＮＲＰＳ遺伝子において少なくとも５０のＥＵコード遺伝子バリアントを含む、ＮＲＰＳ遺伝子ライブラリー。
【請求項２１】
請求項１７に記載のキットによって生産されるＮＲＰＳ遺伝子ライブラリーであって、ライブラリー内の各ＮＲＰＳ遺伝子において少なくとも１００のＥＵコード遺伝子バリアントを含む、ＮＲＰＳ遺伝子ライブラリー。
【請求項２２】
ライブラリー多様性が、ランダム変異導入法によって増加している、請求項１８から２１に記載のＮＲＰＳ遺伝子ライブラリー。
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
方法であって、
導波路システムの導波路スロットを介して、支配的非基本波モードを有し、電気戻り経路を要さずに伝送媒体を伝搬する誘導電磁波を形成するように結合する第１の電磁波のインスタンスを放射するステップであって、
前記誘導電磁波が非光学動作周波数を有し、
前記導波路システムが、送信機によって生成された電磁波を受信する中空矩形導波路部分を備え、前記電磁波によって前記第１の電磁波の前記インスタンスが前記導波路システムの前記導波路スロットから生成され、
前記導波路スロットが前記導波路システムの被覆上に位置し、該被覆の表面が内側中間領域及び外側中間領域に分割され、前記内側中間領域において前記表面を流れる電流が前記外側中間領域において前記表面を流れる電流とは異なり、第１のスロットと第２のスロットの間に所定の外周距離を有する前記内側中間領域及び前記外側中間領域に対する所定位置における前記第１のスロット及び前記第２のスロットの配置によって、第１の電磁波の第１のインスタンスの第１の電界が、前記支配的非基本波モードを有する前記誘導電磁波を形成するように結合する前記第１の電磁波の第２のインスタンスの第２の電界に対して実質的に非対称となる、放射するステップ、及び
前記導波路システムによって、電気戻り経路を要さずに前記誘導電磁波の誘導伝搬のために前記誘導電磁波を伝送媒体の界面に誘導するステップ
を備える方法。
【請求項２】
前記導波路スロットの対が、実質的に同様の方向の電界配向を有する前記第１の電磁波の対を生成して少なくとも前記支配的非基本波モードを生成するように相互に相対位置を有するように構成される、請求項１に記載の方法。
【請求項３】
前記第１の電磁波の前記インスタンスを前記伝送媒体の前記界面に誘導するステップが、前記導波路スロットの１以上のスロットを有効化するステップを備える、請求項１に記載の方法。
【請求項４】
前記導波路スロットの前記１以上のスロットが、前記導波路スロットの前記１以上のスロットによって前記第１の電磁波の前記インスタンスの生成を遮蔽する障害物を除去することによって有効化される、請求項３に記載の方法。
【請求項５】
前記第１の電磁波の前記インスタンスを前記伝送媒体の前記界面に誘導するステップが、前記導波路スロットの１以上の他のスロットを無効化するステップを備える、請求項３に記載の方法。
【請求項６】
前記導波路スロットの前記１以上の他のスロットの各々に障害物を付加して、前記導波路スロットの前記１以上の他のスロットによって電磁波の生成を阻止することによって、前記導波路スロットの前記１以上の他のスロットが無効化される、請求項５に記載の方法。
【請求項７】
前記第１の電磁波の前記インスタンスを誘導するステップが、前記導波路スロットの第１のスロットによって、第１の位相を有する電磁波を放出するステップを備える、請求項１に記載の方法。
【請求項８】
前記第１の電磁波の前記インスタンスを誘導するステップが、前記導波路スロットの第２のスロットによって、第２の位相を有する前記電磁波を放出するステップをさらに備える、請求項７に記載の方法。
【請求項９】
前記第１の位相を有する前記第１のスロットによって放出される前記電磁波が、少なくとも前記支配的非基本波モードを有する前記誘導電磁波を生成するように、前記第２の位相を有する前記第２のスロットによって放出される前記電磁波と結合する、請求項８に記載の方法。
【請求項１０】
前記導波路システムが、前記第１の電磁波を前記導波路スロットに誘導するための導波路構造体を備える、請求項１に記載の方法。